(57)【要約】【課題】二重ロックにより故意にロック状態を解除しない限り組立状態が保持できる一方、簡単な操作によりロックが解除され、組立及び折り畳みが容易な合成樹脂製容器を提供せんとするものである。【解決手段】底板と、前記底板に折曲自在に連結された４つの側板とからなり、前記各側板は内側に折り畳むことができる組立式合成樹脂製容器において、それぞれ隅部で接合する側板の接合面にはロック部が設けられており、前記ロック部は、少なくとも、接合する一方の側板に設けた引き上げレバーと他方の側板に設けた係合部とからなり、前記引き上げレバーは、一方の側板に設けた透孔内に配設されているとともに撓み可能な一部が側板に連結しており、内面には前記係合部と係合する係止片を突設してなり、前記係合部は、他方の側板の側端面に突設した接合片の上端部内側に段部を設け、上端面を傾斜面としてなる。【選択図】        図９
2004323095.tif 000002
【特許請求の範囲】
【請求項１】
底板と、前記底板に折曲自在に連結された４つの側板とからなり、前記各側板は内側に折り畳むことができる組立式合成樹脂製容器において、それぞれ隅部で接合する側板の接合面にはロック部が設けられており、前記ロック部は、少なくとも、接合する一方の側板に設けた引き上げレバーと他方の側板に設けた係合部とからり、前記引き上げレバーは、一方の側板に設けた透孔内に配設されているとともに撓み可能な一部が側板に連結しており、内面には前記係合部と係合する係止片を突設してなり、前記係合部は、他方の側板の側端面に突設した接合片の上端部内側に段部を設け、上端面を傾斜面としてなることを特徴とする組立式合成樹脂製容器。
【請求項２】
引き上げレバーは、ロックプレートの上面側を覆うように指掛け片を設け、前記指掛け片が側板と連結していることを特徴とする請求項１に記載の組立式合成樹脂製容器。
【請求項３】
引き上げレバーを設けてなる一方の側板の端縁部内面に他方の側板に設けた係合部の一部を挿入する凹部を設けてなることを特徴とする請求項１又は２に記載の組立式合成樹脂製容器。
【請求項４】
引き上げレバーを設けてなる一方の側板には、凹部を設けてなる面と同一面に複数のフックを突設し、他方の係合部を設けてなる側板に前記フックを挿入する透孔を設けてなることを特徴とする請求項１〜３のいずれか１項に記載の組立式合成樹脂製容器。
【発明の詳細な説明】
【０００１】
【産業上の利用分野】
【産業上の利用分野】
この発明は、折り畳み状態から簡単に組み立てられ、また簡単に折り畳むことができる組立自在箱に係り、詳しくは方形状の底板の各側縁にヒンジ部を介して連設した側板を、底板に向かって内方に折り畳むことができる組立自在な合成樹脂製容器に関するものである。
【０００２】
【従来の技術】
従来、野菜、果物等を生産者から卸売業者に、さらに小売業者に輸送するために組立式の合成樹脂製容器が使用されている。合成樹脂製容器は、耐久性に優れており繰り返して使用することができるとともに、近年提起されている省資源の点からもダンボール箱に代わって多用されている。これらの容器は、組み合わせられる側板の接合面の一方側にフックを突設し、他方側に前記フックが係止する突片が設けられている。前記突片は透孔内に設けられており、前記フックを透孔内に嵌入させると共に、突片に係止させることによって組み立てられる。
【０００３】
このような容器として、例えば、特許第３０９３９０１号公報記載の合成樹脂製の容器がある。この容器は、同公報記載の図９及び段落番号００１７に組立構造について次のように記載されている。即ち、「向い合う側壁部３，５の縁面１９に通し孔２１を形成し、側部壁２の縁部の内側壁面に、縁面１９の通し孔２１に対応する係止フック２０を、好ましくは互いに上下となるように形成し、側部壁を直立した展開位置とした時に、対応の通し孔２１中に係止端２０が圧入されうることによって、側部壁が互いに対しロックされる。このロックは、解除可能であり、対応する側部壁２，５を互いに対して軽く引くことによって、係止端２０を通し孔２１から引き出すことができる。」
【０００４】
また、特表平１１−５０４３００号公報記載の合成樹脂製容器がある。この容器は、図５〜図７及び同公報第８ページ〜第９ページに組立構造について次のように記載されている。即ち、「押圧レバー５は、矢印Ｆの方向へ指によって軽く操作できるように十分な長さを有し、その結果、横断バー９がヒンジ点８を中心として旋回することにより、スナップ嵌合鼻端１０が離れる方向に旋回する。対応するレバー５の操作によって、スナップ嵌合部分１０がスナップ嵌合突出部１１から離れる方向に旋回すると、指によってさらに圧力をかける操作により、細幅側壁２が長手方向側壁１を越えて底部３に向かって内方に折り畳まれる。従って細幅側壁２はレバー５を指によって押圧操作すると同時に自動的に折り畳まれる。」
【０００５】
【発明が解決しようとする課題】
上記特許第３０９３９０１号公報記載の合成樹脂製容器は、対応する側部壁２，５を互いに対して軽く引く、即ち、通し孔２１が設けられている方の側部壁３，５を押し下げるか、係止端２０が設けられている方の側部壁２，４を引き上げることによってロック状態を解除するものである。従って、使用中に、何らかの理由によって底板に下方から集中荷重がかかると、係止端２０が設けられている方の側部壁２，４が押し上げられて、係止端２０が通し孔２１から引き出されることがある。係止端２０が通し孔２１から引き出されると、ロック状態が解除されることになり、荷崩れが発生するおそれがあった。
【０００６】
また、特表平１１−５０４３００号公報記載の合成樹脂製容器は、対応する側部壁が互いに対して垂直方向にずれてもロック状態は解除されることはないが、ロック部は１カ所しかなく、しかもレバーが水平方向から集中荷重がかかるとロック状態が解除されてしまうと共に、側壁の折り畳み動作の方向に作用することになる。従って、そのまま荷重がかかると、組立状態が保持できなくなるという問題がある。
【０００７】
この発明はかかる現況に鑑みてなされたもので、故意にロック状態を解除しない限り組立状態が保持できるようなロック構造として安全性を高め、しかも操作が簡単な組立式合成樹脂製容器を提供せんとするものである。
【０００８】
【課題を解決するための手段】
この発明は上記目的を達成するために次のような構成とした。即ち、この発明に係る組立式合成樹脂製容器は、底板と、前記底板に折曲自在に連結された４つの側板とからなり、前記各側板は内側に折り畳むことができる組立式合成樹脂製容器において、それぞれ隅部で接合する側板の接合面にはロック部が設けられており、前記ロック部は、少なくとも、接合する一方の側板に設けた引き上げレバーと他方の側板に設けた係合部とからなり、前記引き上げレバーは、一方の側板に設けた透孔内に配設されているとともに撓み可能な一部が側板に連結しており、内面には前記係合部と係合する係止片を突設してなり、前記係合部は、他方の側板の側端面に突設した接合片の上端部内側に段部を設け、上端面を傾斜面としてなることを特徴とする。前記引き上げレバーは、ロックプレートの上面側を覆うように指掛け片を設け、前記指掛け片が側板と連結するように形成されている。また、前記引き上げレバーを設けてなる一方の側板の端縁部内面に他方の側板に設けた係合部の一部を挿入する凹部を設けて、係合部の一部を逃がすようにしてもよい。前記ロック部は、他のロック部と組み合わせてもよく、例えば、前記凹部を設けてなる面と同一面に複数のフックを突設し、他方の係合部を設けてなる側板に前記フックを挿入する透孔を設ける構成としてもよい。
【０００９】
【発明の実施の形態】
この発明に係る組立式合成樹脂製容器を、図示する実施形態に基づいて詳細に説明する。組立式合成樹脂製容器３０は、図１に示すように、矩形の底板３２と４つの側板３３〜３６からなり、対向する側板３３，３４は短辺側の側板を形成し、対向する側板３５，３６は、長辺側の側板を形成している。短辺側の側板３３，３４の上部略中央には容器３０を持ち運ぶ際に指を挿入する取っ手孔３７が設けられている。
【００１０】
前記側板３３〜３６は、底板３２とはヒンジを介して連結されており、内側に向かって底板３２の上に折り畳むことができる。図示する実施形態では、まず、長辺側の側板３５，３６を折り畳んだ後、短辺側の側板３３，３４を折り畳むように構成されており、最終の折り畳み状態は、全体がほぼ水平な板状態となる（図示省略）。前記構成の容器３０は、折り畳み状態から短辺側の側板３３，３４をヒンジを支点にして起立させ、次いで、長辺側の側板３５，３６を起立させれば、それぞれ隅部で接合する面に設けたロック部によってロックされ、組立状態が保持され堅牢な容器とすることができる。
【００１１】
次に、前記ロック部の構成につて説明する。この発明の特徴は、水平方向又は垂直方向からの押圧力に対しても組立状態が確実に保持できるロック構造とした点にある。構造が異なる第１ロック部と第２ロック部による二重ロック構造とした実施形態について説明する。まず、第１ロック部について説明すると、第１ロック部４０は、公知の構成であって、短辺側の側板３３，３４の端部内側面に長辺側の側板３５，３６と組み立てるフック４１、４１が突設されている。
【００１２】
前記フック４１，４１は、図７に示すように、側板３３，３４の端部内側面から突出しており、側板３３，３４とほぼ平行に内向きに形成されている。前記フック４１，４１の係止部４２は、下向きに形成されている。前記フック４１，４１は、図示する実施形態では、上下に２つ形成したが、フックの数は限定されるものではなく、容器の大きさ、収納物の種類等によって適宜決定すればよい。
【００１３】
一方、長辺側の側板３５，３６の両側端面には、図８及び図９に示すように、短辺側の側板３３，３４との接合片３８が突設されており、前記接合片３８に前記フック４１，４１が嵌入する透孔４４，４４が設けられている。前記透孔４４，４４の下面に、前記フック４１，４１の係止部４２を係止する突片４５，４５が設けられている。突片４５，４５は、透孔４４，４４の厚さよりも薄く、長辺側の側板３５，３６の外面側に設けられている。
【００１４】
短辺側の側板３３，３４と長辺側の側板３５，３６を組み立てるときは、先に短辺側の側板３３，３４が起立させ、長辺側の側板３５，３６を起立させると、短辺側の側板３３，３４の内面を摺動しながら起立し、前記フック４１，４１を透孔４４，４４に迎え入れるようにして嵌入させ、係止部４２，４２が突片４５，４５に係止することになる。
【００１５】
次いで、この発明の特徴である第２ロック部について説明すると、第２ロック部４６は、短辺側の側板３３，３４の両側端部に設けられた引き上げレバー４７，４７と、長辺側の側板３５，３６の両側端面の前記接合片３８の上端部に設けられた係合部４８，４８からなる。
【００１６】
前記引き上げレバー４７，４７は、図５〜図７に明らかなように、透孔５０の内部に配設されている。前記引き上げレバー４７，４７は、略長円形のロックプレート５１、５１の上面側を覆うように指掛け片５２、５２を設け、前記指掛け片５２、５２の端部を側板３３，３４の側壁に連結すると共に、前記ロックプレート５１、５１の内面に直交するように係止片５３、５３を突設してなる。
【００１７】
前記指掛け片５２、５２は、側板３３，３４の外側から指を掛けることができるように、ロックプレート５１，５１の外面側に突出している。また、前記指掛け片５２、５２は、幅方向が水平面をなして側板３３，３４に連結しており、指掛け片５２，５２の連結部を除いてロックプレート５１の周辺には透孔５０との間に隙間が設けられている。従って、指掛け片５２，５２の連結部近傍５５は、上下方向に撓むことが可能であってバネ作用を有する。
【００１８】
さらに、短辺側の側板３３，３４の端部内側面のフック４１、４１を突設した面に、長辺側の側板３５，３６の両側端面に設けられた係合部４８，４８の一部を挿入する凹部５４、５４が設けられている（図６及び図７参照）。前記凹部５４，５４は、前記係止片５３，５３とほぼ対向する位置に設けられ、内向きに開口している。
【００１９】
次に、図８及び図９に基づいて、第２ロック部４６を構成する係合部４８，４８について説明する。係合部４８，４８は、前記接合片３８、３８の上端部内面を前記引き上げレバー４７の係止片５３が係合する段部５７となし、上端面を傾斜面５８とすることによって形成されている。従って、短辺側の側板３３，３４と長辺側の側板３５，３６を組み立てるときに、係合片４８，４８は傾斜面５８によって押し上げながら係止片５３の反対側に移動し、係止片５３が段部５７の位置に達すると指掛け片５２のバネ作用によって押し下げられるから段部５７と係合することになる。
【００２０】
次に、図１０〜図１３を参照しながら、上記構成の第１ロック部４０と第２ロック部４６の作用について説明する。図１０乃至図１３は、ロックの動作とロック解除の動作を説明するための説明用断面図であって、第１ロック部４０と第２ロック部４６の間隔を狭めて図示してある。折り畳み状態から組み立てるには、まず、短辺側の側板３３，３４を起立させ、次いで、長辺側の側板３５，３６を起立させると、第１ロック部４０をなすフック４１が下方から順に透孔４４に嵌入する。第２ロック部４６においては、係合部４８の傾斜面５８によって引き上げレバー４７の係止片５３が押し上げられる（図１０参照）。
【００２１】
さらに、長辺側の側板３５，３６を起立させて短辺側の側板３３，３４の端縁部内面に接合すると、係止片５３は傾斜面５８を越えたとき、指掛け片５２の連結部近傍５５のバネ作用によって押し下げられて段部５７と係合する。このとき、同時に、フック４１の係止部４２が透孔４４内の突片４５と係合し、係合部４８の一部が凹部５４に挿入されることになる（図４，図５及び図１１参照）。このようにして、短辺側の側板３３，３４と長辺側の側板３５，３６を起立させるだけで、簡単に組み立てることができる。
【００２２】
組み立てられた容器３０は、短辺側の側板３３，３４と長辺側の側板３５，３６のいずれかが、水平方向の押圧力を受けた場合には第１ロック部４０によって組立状態が保持され、垂直方向の押圧力を受けた場合には第２ロック部４６によって組立状態が保持されることになり、堅牢な容器とすることができる。
【００２３】
組立状態から折り畳むには、第１ロック部４０及び第２ロック部４６のロック状態を解除することになるが、まず、図９に示すように、長辺側の側板３５，３６を押し下げると同時に、引き上げレバー４７を引き上げればよい。長辺側の側板３５，３６を押し下げると、フック４１の係止部４２と透孔４４内の突片４５との係合状態が解除される（図１２参照）。次いで、引き上げレバー４７を引き上げると、係止片５３と段部５７との係合状態が解除される（図１３参照）。
【００２４】
第１ロック部４０及び第２ロック部４６のロックが解除された状態で、長辺側の側板３５，３６を底板３２に向かって内側に倒し、その後短辺側の側板３３，３４を倒せばよい。このようにロックを解除するときは、長辺側の側板３５，３６の上端に親指をかけて押し下げると同時に、人差し指を引き上げレバー４７の指掛け片５２に掛けて押し上げれば、親指と人差し指によって挟むような動作によって簡単にロックを解除することができる。
【００２５】
尚、上記実施形態では、第１ロック部と第２ロック部を設けた好ましい実施形態について説明したが、第１ロック部を省略し第２ロック部のみの構成とすることも可能である。第２ロック部自体が水平方向及び垂直方向の押圧力に対しても解除されることなく、ロック状態を保持することができる。このように、第２ロック部のみとした場合には、それぞれ隅部で接合する側板の接合面には、特表平１１−５０４３００号公報に記載されているように、互いに水平方向においてロックされるように突片と溝の組み合わせ構造とすることが好ましい。
【００２６】
また、上記実施形態では、一体に突設した接合片３８に透孔４４を設け、上端部を係合部４８としたが、接合片３８は分割して突設し、それぞれの接合片に透孔を設け、他の接合片に段部と傾斜面を設けて係合部としてもよい。
【００２７】
【発明の効果】
この発明は、上記説明から明らかなように、第１ロック部とは解除方向が異なる第２ロック部を設けたから、水平方向及び垂直方向のいずれの方向から押圧力がかかってもロックは解除されることがなく、堅牢で安全な組立式合成樹脂製容器を得ることができる。また、第１ロック部及び第２ロック部とも、側板を起立させる操作だけで簡単にロックさせることができる。また、ロック状態は、親指と人差し指で挟むという自然な動作で解除することができるから、操作が容易であって作業性に優れている。
【図面の簡単な説明】
【図１】
組立状態の容器を示す斜視図である。
【図２】
図１におけるＡ−Ａ断面図である。
【図３】
図１におけるＢ−Ｂ断面図である。
【図４】
第２ロック部を示す横断面図である。
【図５】
第２ロック部を示す縦断面図である。
【図６】
短辺側の側板における引き上げレバーを示す外面斜視図である。
【図７】
短辺側の側板における引き上げレバーを示す内面斜視図である。
【図８】
長辺側の側板における係合部を示す内面斜視図である。
【図９】
第２ロック部の解除の操作を示す説明用斜視図である。
【図１０】
第１ロック部及び第２ロック部のロックの動作を示す説明用縦断面図である。
【図１１】
第１ロック部及び第２ロック部のロック状態を示す説明用縦断面図である。
【図１２】
第１ロック部及び第２ロック部のロック解除の動作を示す説明用縦断面図であ
る。
【図１３】
第１ロック部及び第２ロック部のロック解除の動作を示す説明用縦断面図であ
る。
【符号の説明】
３０：組立式合成樹脂製容器
３２：底板
３３，３４：短辺側の側板
３５，３６：長辺側の側板
３７：取っ手孔
３８：接合片
４０：第１ロック部
４１：フック
４２：係止部
４４：透孔
４５：突片
４６：第２ロック部
４７：引き上げレバー
４８：係合部
５０：透孔
５１：ロックプレート
５２：指掛け片
５３：係止片
５４：凹部
５７：段部
５８：傾斜面
【図１】
2004323095.tif 000003
【図２】
2004323095.tif 000004
【図３】
2004323095.tif 000005
【図４】
2004323095.tif 000006
【図５】
2004323095.tif 000007
【図６】
2004323095.tif 000008
【図７】
2004323095.tif 000009
【図８】
2004323095.tif 000010
【図９】
2004323095.tif 000011
【図１０】
2004323095.tif 000012
【図１１】
2004323095.tif 000013
【図１２】
2004323095.tif 000014
【図１３】
2004323095.tif 000015